(57)【要約】【課題】画像撮影装置から管理サーバに送信された複数の撮影画像を閲覧する利用者の利便性を高める。【解決手段】本発明に係る画像管理システムは画像撮影装置と管理サーバ３とを含む。管理サーバ３は、受信した撮影画像と撮影コース情報とを対応付けて複数管理する管理部３１と、複数の撮影画像の中から閲覧要求が指定する撮影コースに対応する撮影画像を特定する画像特定部３４と、特定された撮影画像を撮影コース毎に利用者に提示するサービス提供部３３とを備える。【選択図】図３
2014168196.tif 000002
【特許請求の範囲】
【請求項１】
画像撮影装置と、ネットワークを介して上記画像撮影装置および利用者の携帯端末に接続される管理サーバとを含む画像管理システムであって、
上記画像撮影装置は、
利用者の指示に応じて、複数の撮影モードから１つの撮影モードを選択する撮影モード選択部と、
選択された撮影モードに応じた利用者の撮影画像を生成する画像生成部と、
選択された撮影モードを示す撮影モード情報と上記撮影画像とを対応付けて上記管理サーバに送信する画像送信部とを備え、
上記管理サーバは、
受信した上記撮影画像と上記撮影モード情報とを対応付けて複数管理する管理部と、
利用者の携帯端末からの閲覧要求に応じて、複数の上記撮影画像の中から、上記閲覧要求が指定する撮影モードに対応する上記撮影画像を特定する画像特定部と、
特定された上記撮影画像を上記撮影モード毎に、上記携帯端末を介して、利用者に提示する提示部とを備えることを特徴とする画像管理システム。
【請求項２】
上記複数の撮影モードは、撮影時の照明条件、撮影された画像に適用する画像処理、および、撮影された画像に合成する合成用画像のうち少なくとも１つが互いに異なることを特徴とする請求項１に記載の画像管理システム。
【請求項３】
上記画像特定部によって特定される上記撮影画像は、上記閲覧要求を行った上記携帯端末の利用者以外の利用者の上記撮影画像を含むことを特徴とする請求項１または２に記載の画像管理システム。
【請求項４】
上記画像撮影装置は、上記利用者を特定する利用者情報の入力を受け付ける利用者情報取得部を備え、
上記画像送信部は、取得した上記利用者情報を上記撮影画像と対応付けて上記管理サーバに送信し、
上記管理部は、受信した上記利用者情報と上記撮影画像とを対応付けて管理し、
上記画像特定部は、上記閲覧要求が指定する上記利用者情報に対応する複数の上記撮影画像の中から、上記閲覧要求が指定する上記撮影モードに対応する上記撮影画像を特定することを特徴とする請求項１または２に記載の画像管理システム。
【請求項５】
上記管理サーバは、
利用者に提示した複数の上記撮影画像の中から少なくとも１つの上記撮影画像を、上記携帯端末を介して上記利用者に選択させる画像選択部と、
選択された上記撮影画像をウェブページのコンテンツとして登録する画像登録部とを備えることを特徴とする請求項４に記載の画像管理システム。
【請求項６】
上記複数の撮影モードは、上記照明条件および上記画像処理の両方について、互いに異なることを特徴とする請求項２に記載の画像管理システム。
【請求項７】
上記画像撮影装置は、上記撮影画像を所定のシート上に形成し、上記シートを上記利用者に提供するシート提供部を備えることを特徴とする請求項１から６のいずれか一項に記載の画像管理システム。
【請求項８】
上記画像生成部は、選択された上記撮影モードに応じて、異なる強調度合いで顔の部位の輪郭を強調する画像処理を行うことを特徴とする請求項１から７のいずれか一項に記載の画像管理システム。
【請求項９】
上記画像生成部は、選択された上記撮影モードに応じて、異なる化粧を施す画像処理を行うことを特徴とする請求項１から８のいずれか一項に記載の画像管理システム。
【請求項１０】
上記画像撮影装置は、複数の照明を備え、
上記画像撮影装置は、上記複数の撮影モードに応じて、上記複数の照明の強度の組み合わせを変更することを特徴とする請求項１から９のいずれか一項に記載の画像管理システム。
【請求項１１】
上記画像送信部は、上記撮影モード情報および上記撮影画像に、上記画像撮影装置の機種を示す機種情報を対応付けて上記管理サーバに送信し、
上記管理部は、受信した上記撮影画像と上記撮影モード情報と上記機種情報とを対応付けて管理し、
上記画像特定部は、上記携帯端末からの閲覧要求に応じて、複数の上記撮影画像の中から、上記閲覧要求が指定する上記機種および上記撮影モードに対応する上記撮影画像を特定し、
上記提示部は、上記携帯端末を介して、特定された上記撮影画像を上記機種および上記撮影モード毎に利用者に提示することを特徴とする請求項１から１０のいずれか一項に記載の画像管理システム。
【請求項１２】
ネットワークを介して画像撮影装置および利用者の携帯端末に接続される管理サーバであって、
撮影モードを示す撮影モード情報と、上記画像撮影装置が該撮影モードに応じて生成した利用者の撮影画像とを、上記画像撮影装置から受け取る受信部と、
受信した上記撮影画像と上記撮影モード情報とを対応付けて複数管理する管理部と、
利用者の携帯端末からの閲覧要求に応じて、複数の上記撮影画像の中から、上記閲覧要求が指定する上記撮影モードに対応する上記撮影画像を特定する画像特定部と、
特定された上記撮影画像を上記撮影モード毎に、上記携帯端末を介して、利用者に提示する提示部とを備えることを特徴とする管理サーバ。
【請求項１３】
ネットワークを介して画像撮影装置および利用者の携帯端末に接続される管理サーバの処理方法であって、
撮影モードを示す撮影モード情報と、上記画像撮影装置が該撮影モードに応じて生成した利用者の撮影画像とを、上記画像撮影装置から受け取る受信ステップと、
受信した上記撮影画像と上記撮影モード情報とを対応付けて複数管理する管理ステップと、
利用者の携帯端末からの閲覧要求に応じて、複数の上記撮影画像の中から、上記閲覧要求が指定する上記撮影モードに対応する上記撮影画像を特定する画像特定ステップと、
特定された上記撮影画像を上記撮影モード毎に、上記携帯端末を介して、利用者に提示する提示ステップとを含むことを特徴とする処理方法。
【請求項１４】
ネットワークを介して画像撮影装置および利用者の携帯端末に接続される管理サーバの制御プログラムであって、
撮影モードを示す撮影モード情報と、上記画像撮影装置が該撮影モードに応じて生成した利用者の撮影画像とを、上記画像撮影装置から受け取る受信ステップと、
受信した上記撮影画像と上記撮影モード情報とを対応付けて複数管理する管理ステップと、
利用者の携帯端末からの閲覧要求に応じて、複数の上記撮影画像の中から、上記閲覧要求が指定する上記撮影モードに対応する上記撮影画像を特定する画像特定ステップと、
特定された上記撮影画像を上記撮影モード毎に、上記携帯端末を介して、利用者に提示する提示ステップとをコンピュータに実行させる制御プログラム。
【発明の詳細な説明】
【技術分野】
【０００１】
本発明は、画像撮影装置にネットワークを介して接続される情報管理サーバおよび情報管理システムに関する。
【背景技術】
【０００２】
利用者を撮影し、撮影された画像データに対する編集を利用者に行わせ、編集後の画像データをシール紙などに印刷して出力する写真シール作成装置が知られている。利用者は、出力された写真シールを様々な用途に利用することができる。このような写真シール作成装置は娯楽（遊戯）施設などに設置されていることが多く、多くの利用者が存在する。
【０００３】
写真シール作成装置では、写り方が異なる複数の撮影コースから１つの撮影コースを利用者に選択させ、選択された撮影コースに応じて撮影画像を生成する。近年では、写真シール作成装置がサーバに撮影画像を送信し、サーバ上で利用者の撮影画像を保存する技術がある。
【０００４】
特許文献１には、画像処理端末が画像データをサーバに送信し、携帯端末の種別に応じて該携帯端末への配信に適した画像データの種別を決定する技術が記載されている。
【０００５】
特許文献２には、写真シール作成装置において、撮影によって得られた画像を、携帯端末の待ち受け画面またはブログ等で利用するための画像サイズにトリミングし、トリミング後の画像データを外部に送信する技術が記載されている。
【０００６】
特許文献３には、管理サーバにおいて、写真シール作成装置から受信した用途別合成画像（携帯端末での用途に応じた背景等を合成した画像）を用途別に管理し、携帯端末のアクセスに応じて、用途別に該合成画像を利用者に提示する技術が記載されている。ここでの用途とは、（１）グリーティングカード、（２）メールまたはブログのためのデコレーション画像、および（３）服装の記録のいずれかを指す。
【先行技術文献】
【特許文献】
【０００７】
【特許文献１】特開２００１−３１３９１３号公報（２００１年１１月９日公開）
【特許文献２】特開２０１２−１４１４４０号公報（２０１２年７月２６日公開）
【特許文献３】特許４９１９１３２号公報（２０１２年２月１０日登録）
【発明の概要】
【発明が解決しようとする課題】
【０００８】
利用者は、携帯端末を介してサーバにアクセスすることで、サーバ上の撮影画像を閲覧することができる。しかしながら、従来の技術では、撮影コースに関係なくサーバ上に保存された複数の撮影画像が携帯端末に表示されていた。撮影コースが異なると写り方が異なるので、利用者は撮影コースが異なる複数の撮影画像を見比べたときに違和感を感じてしまう。
【０００９】
本発明は、かかる現状に鑑みてなされたものであり、その目的は、画像撮影装置から管理サーバに送信された複数の撮影画像を閲覧する利用者の利便性を高めることにある。
【課題を解決するための手段】
【００１０】
本発明に係る画像管理システムは、画像撮影装置と、ネットワークを介して上記画像撮影装置および利用者の携帯端末に接続される管理サーバとを含む画像管理システムであって、上記画像撮影装置は、利用者の指示に応じて、複数の撮影モードから１つの撮影モードを選択する撮影モード選択部と、選択された撮影モードに応じた利用者の撮影画像を生成する画像生成部と、選択された撮影モードを示す撮影モード情報と上記撮影画像とを対応付けて上記管理サーバに送信する画像送信部とを備え、上記管理サーバは、受信した上記撮影画像と上記撮影モード情報とを対応付けて複数管理する管理部と、利用者の携帯端末からの閲覧要求に応じて、複数の上記撮影画像の中から、上記閲覧要求が指定する撮影モードに対応する上記撮影画像を特定する画像特定部と、特定された上記撮影画像を上記撮影モード毎に、上記携帯端末を介して、利用者に提示する提示部とを備えることを特徴としている。
【００１１】
本発明に係る管理サーバは、ネットワークを介して画像撮影装置および利用者の携帯端末に接続される管理サーバであって、撮影モードを示す撮影モード情報と、上記画像撮影装置が該撮影モードに応じて生成した利用者の撮影画像とを、上記画像撮影装置から受け取る受信部と、受信した上記撮影画像と上記撮影モード情報とを対応付けて複数管理する管理部と、利用者の携帯端末からの閲覧要求に応じて、複数の上記撮影画像の中から、上記閲覧要求が指定する上記撮影モードに対応する上記撮影画像を特定する画像特定部と、特定された上記撮影画像を上記撮影モード毎に、上記携帯端末を介して、利用者に提示する提示部とを備えることを特徴としている。
【００１２】
本発明に係る管理サーバの処理方法は、ネットワークを介して画像撮影装置および利用者の携帯端末に接続される管理サーバの処理方法であって、撮影モードを示す撮影モード情報と、上記画像撮影装置が該撮影モードに応じて生成した利用者の撮影画像とを、上記画像撮影装置から受け取る受信ステップと、受信した上記撮影画像と上記撮影モード情報とを対応付けて複数管理する管理ステップと、利用者の携帯端末からの閲覧要求に応じて、複数の上記撮影画像の中から、上記閲覧要求が指定する上記撮影モードに対応する上記撮影画像を特定する画像特定ステップと、特定された上記撮影画像を上記撮影モード毎に、上記携帯端末を介して、利用者に提示する提示ステップとを含むことを特徴としている。
【００１３】
上記の構成によれば、撮影モード毎に撮影モードが同じである撮影画像を利用者に提示することができる。そのため、利用者は同様の写り具合である（同じ条件下で撮影された）撮影画像を見比べることができる。そのため、利用者の利便性を高めることができる。
【００１４】
上記複数の撮影モードは、撮影時の照明条件、撮影された画像に適用する画像処理、および、撮影された画像に合成する合成用画像のうち少なくとも１つが互いに異なる構成とすることができる。
【００１５】
上記画像特定部によって特定される上記撮影画像は、上記閲覧要求を行った上記携帯端末の利用者以外の利用者の上記撮影画像を含む構成であってもよい。
【００１６】
上記の構成によれば、他の利用者の複数の撮影画像を見比べる際に、利用者は撮影モード毎に撮影画像を閲覧することができる。そのため、複数の撮影画像を閲覧する利用者に違和感を与えることを低減することができる。
【００１７】
上記画像撮影装置は、上記利用者を特定する利用者情報の入力を受け付ける利用者情報取得部を備え、上記画像送信部は、取得した上記利用者情報を上記撮影画像と対応付けて上記管理サーバに送信し、上記管理部は、受信した上記利用者情報と上記撮影画像とを対応付けて管理し、上記画像特定部は、上記閲覧要求が指定する上記利用者情報に対応する複数の上記撮影画像の中から、上記閲覧要求が指定する上記撮影モードに対応する上記撮影画像を特定する構成であってもよい。
【００１８】
上記の構成によれば、利用者は自身が過去に撮影した撮影画像のうち、指定した撮影モードに対応する撮影画像を閲覧することができる。撮影モード毎に撮影画像を閲覧することができるため、例えば利用者は撮影画像を適切に見比べ、よりよい撮影画像を選択することができる。
【００１９】
上記管理サーバは、利用者に提示した複数の上記撮影画像の中から少なくとも１つの上記撮影画像を、上記携帯端末を介して上記利用者に選択させる画像選択部と、選択された上記撮影画像をウェブページのコンテンツとして登録する画像登録部とを備える構成であってもよい。
【００２０】
上記複数の撮影モードは、上記照明条件および上記画像処理の両方について、互いに異なる構成とすることができる。
【００２１】
照明条件および画像処理は、特に写り具合に影響する。それゆえ、照明条件と画像処理との両方が異なる撮影モードに対応する撮影画像を、撮影モード毎に利用者に提示することにより、利用者の利便性を向上させることができる。
【００２２】
上記画像撮影装置は、上記撮影画像を所定のシート上に形成し、上記シートを上記利用者に提供するシート提供部を備える構成であってもよい。
【００２３】
上記画像生成部は、選択された上記撮影モードに応じて、異なる強調度合いで顔の部位の輪郭を強調する画像処理を行う構成であってもよい。
【００２４】
上記画像生成部は、選択された上記撮影モードに応じて、異なる化粧を施す画像処理を行う構成であってもよい。
【００２５】
上記画像撮影装置は、複数の照明を備え、上記画像撮影装置は、上記複数の撮影モードに応じて、上記複数の照明の強度の組み合わせを変更する構成であってもよい。
【００２６】
上記画像送信部は、上記撮影モード情報および上記撮影画像に、上記画像撮影装置の機種を示す機種情報を対応付けて上記管理サーバに送信し、上記管理部は、受信した上記撮影画像と上記撮影モード情報と上記機種情報とを対応付けて管理し、上記画像特定部は、上記携帯端末からの閲覧要求に応じて、複数の上記撮影画像の中から、上記閲覧要求が指定する上記機種および上記撮影モードに対応する上記撮影画像を特定し、上記提示部は、上記携帯端末を介して、特定された上記撮影画像を上記機種および上記撮影モード毎に利用者に提示する構成であってもよい。
【００２７】
上記の構成によれば、撮影モードに加えて機種によっても対応する撮影画像を特定する。そのため、利用者は、写り具合が類似する撮影画像を見比べることができる。また、利用者は多くの撮影画像の中から特定の機種の撮影画像を自分で探す必要がない。
【００２８】
本発明の各態様に係る管理サーバは、コンピュータによって実現してもよく、この場合には、コンピュータを上記管理サーバが備える各部として動作させることにより上記管理サーバをコンピュータにて実現させる管理サーバの制御プログラム、およびそれを記録したコンピュータ読み取り可能な記録媒体も、本発明の範疇に入る。
【発明の効果】
【００２９】
以上のように本発明によれば、撮影モード毎に撮影モードが同じである撮影画像を利用者に提示することができる。そのため、利用者は同様の写り具合である（同じ条件下で撮影された）撮影画像を見比べることができる。そのため、利用者の利便性を高めることができる。
【図面の簡単な説明】
【００３０】
【図１】本発明の一実施形態に係る画像管理システムの構成を示す概略図である。
【図２】上記画像管理システムの写真シール作成装置の構成を示すブロック図である。
【図３】上記画像管理システムの管理サーバの構成を示すブロック図である。
【図４】上記管理サーバの管理部に記憶される情報を示す図である。
【図５】上記写真シール作成装置および上記管理サーバにおける撮影のフローを示す図である。
【図６】携帯端末からのＨＴＴＰリクエストに対する上記管理サーバにおける処理フローを示す図である。
【図７】携帯端末のディスプレイに表示されるウェブページＡの例を示す図である。
【図８】携帯端末のディスプレイに表示されるウェブページＢの例を示す図である。
【図９】撮影画像を投稿する処理のフローを示す図である。
【図１０】携帯端末のディスプレイに表示されるウェブページＣの例を示す図である。
【図１１】ＳＮＳへの画像投稿処理を示す携帯端末における画面遷移図である。
【発明を実施するための形態】
【００３１】
［実施形態１］
以下、本発明の実施形態について、詳細に説明する。
【００３２】
（画像管理システムの構成）
図１は、画像管理システムの構成を示す概略図である。本実施形態に係る画像管理システム１は、複数の写真シール作成装置２（画像撮影装置）と、管理サーバ３とを含む。管理サーバ３は、無線および／または有線のネットワーク（例えばインターネット）を介して複数の写真シール作成装置２と接続される。また、管理サーバ３は、ネットワーク（例えばインターネット）を介して利用者が所持する携帯端末と接続される。利用者が所有する携帯電話、またはタブレット端末等の利用者端末を、携帯端末と称する。ここでは、管理サーバ３は、画像を記憶して管理する画像サーバ機能と、ウェブサービスを提供するウェブサーバ機能とを有する１つのサーバとして説明する。しかしながらこれに限らず、それぞれの機能を有する複数のサーバからなるサーバ群として管理サーバ３を構成することもできる。携帯端末は、ディスプレイを備え、管理サーバ３が管理するウェブページを表示することができる利用者端末である。
【００３３】
（写真シール作成装置の構成）
図２は、写真シール作成装置２の構成を示すブロック図である。写真シール作成装置２は、表示部２０、課金部２１、撮影コース選択部２２（撮影モード選択部）、撮影部２３、編集部２４、画像生成部２５、シート提供部２６、利用者情報取得部２７、装置通信部２８（画像送信部）、および情報通知部２９を備える。
【００３４】
表示部２０は、タッチパネルで構成されており、利用者に操作を促す画面の表示、および撮影された画像の表示等を行う。また、表示部２０は、タッチパネルを介して利用者からの入力をも受け付ける。写真シール作成装置２は、異なる位置に複数（例えば３つ）のタッチパネルを備える構成であってもよい。タッチパネルを複数設けることにより、複数組の利用者に対して、撮影段階、利用者による画像の編集段階、および写真シール形成段階等の段階毎に、同時にサービスを提供することが可能になる。ここでは、写真シール作成装置２は、撮影ブース、編集ブース、写真シール提供ブースの３つのブースを有し、ブースに応じて、撮影ブース用タッチパネル、編集ブース用タッチパネル、写真シール提供ブース用タッチパネルの３つのタッチパネルを備える。
【００３５】
課金部２１は、利用者に課金する手段を有する。例えば利用者によって写真シール作成装置２の硬貨投入口に所定の金額が投入されると、写真シール作成装置２がゲーム（写真シール作成）の提供を開始する。また課金部２１は、プリペイド等の電子マネーによって課金を行う構成であってもよい。
【００３６】
撮影コース選択部２２は、撮影ブース用タッチパネルを介して入力された利用者の指示に応じて、複数の撮影コース（撮影モード）から１つの撮影コースを選択する。各撮影コースは、撮影時の照明条件、絞りまたはシャッタースピードを含む撮影条件、撮影された画像に適用する画像処理、および、撮影された画像に合成する合成用画像のうち少なくとも１つが互いに異なる。撮影コースは、照明条件、撮影条件、画像処理、および合成用画像の設定を特定するものである。撮影コース毎に、照明条件、撮影条件、画像処理、および合成用画像が設定されている。そのため、同じ被写体を撮影しても撮影コースが異なれば、最終的に生成される（シール用紙に印刷される、または管理サーバに送信される）撮影画像の仕上がり（すなわち画像の雰囲気または画像の特徴）が異なる。すなわち、撮影コースは、撮影画像の仕上がりを決定するものである。複数の撮影コースはあらかじめ設定（用意）されており、例えば、自然な見た目の（控えめな化粧に適した）撮影画像を生成する第１撮影コースと、特徴部分（人物領域、顔領域、またはその器官部分）がより際だって見える（より濃く化粧を施した）撮影画像を生成する第２撮影コースとが用意されている。第１撮影コースでは、自然な見た目になるように、照明条件、撮影条件、画像処理、および合成用画像が設定されている。第２撮影コースでは、目等の部位の特徴をより際だたせるように、照明条件、撮影条件、画像処理、および合成用画像が設定されている。第１撮影コースと第２撮影コースとでは、照明条件、撮影条件、画像処理、および合成用画像の全てが互いに異なる。なお、ここでは撮影コースが２つの例を挙げて説明するが、撮影コースが３つ以上用意されていてもよい。例えば、３つの撮影コースＡ〜Ｃのうち、撮影コースＡと撮影コースＢとでは照明条件だけが異なり、撮影コースＢと撮影コースＣとでは画像処理だけが異なっていてもよい。
【００３７】
撮影部２３は、カメラおよび複数の照明を備え、選択された撮影コースに対応した照明条件および撮影条件下で、所定の空間（撮影ブース）にいる利用者の撮影を行う。なお、撮影部２３は、１回のゲームにおいて複数回の撮影を行う。ここで、第１撮影コースと第２撮影コースとでは、照明条件、すなわち、照明の強度、または、複数の照明の強度の組み合わせの設定が異なる。また、第１撮影コースと第２撮影コースとでは、撮影条件、すなわち、カメラの絞り、またはシャッタースピードの設定が異なる。
【００３８】
編集部２４は、撮影部２３によって撮影された複数の画像を取得し、該複数の画像を編集ブース用タッチパネルに表示させる。編集部２４は、編集ブース用タッチパネルを介して、利用者から撮影された画像に対する編集の入力を受け付ける。具体的には、編集部２４は、目の大きさの選択、肌の明るさの選択、背景（または前景）として合成する合成用画像の選択、および落書き入力を受け付ける。なお、合成用画像の選択について、例えば第１撮影コース用に、第１背景画像および第２背景画像が用意されており、第２撮影コース用に、第３背景画像および第４背景画像が用意されている。また、背景画像と同様に、各撮影コースに対応した前景画像が用意されていてもよい。編集部２４は、落書き入力として、利用者からフリーハンドで文字・図形等の入力を受け付ける。入力された文字・図形は、画像生成部２５によって撮影された画像に合成される。
【００３９】
画像生成部２５は、撮影された画像に対して、選択された撮影コースに対応した画像処理を適用する。例えば第１撮影コースでは、顔の部位の輪郭（エッジ）の強調処理を第１強調度合いで行い、唇の平滑化を第１平滑度合いで行う。これに対して第２撮影コースでは、エッジの強調処理を第１強調度合いより大きな第２強調度合いで行い、唇の平滑化を第１平滑度合いより大きな第２平滑度合いで行う。すなわち、第１撮影コースよりも第２撮影コースの方が、より強くエッジを強調する。また、画像生成部２５は、撮影された画像の顔に対して、第１撮影コースにおいては淡い化粧（アイシャドウ、アイライン等）を施し、第２撮影コースにおいては第１撮影コースとは異なる化粧（より濃い化粧）を施す。このとき、選択された「目の大きさ」および「肌の明るさ」に基づいて、目の大きさの補正および肌の明るさの補正をも行う。なお、エッジ強調および平滑度合い以外にも、撮影コース毎に明度調整および彩度調整を異ならせてもよい。画像生成部２５は、選択された背景画像を撮影された画像の背景に合成し、編集部２４で入力された文字・図形を撮影された画像に合成する。画像生成部２５は、このようにして、編集された（画像処理が施された）画像を生成する。ここでは、画像生成部２５によって生成された編集後の画像を「撮影画像」と称する。なお、各画像処理を適用する順序は任意に設定することができる。なお、画像生成部２５は、撮影された複数の画像に対して、選択された撮影コースに応じた複数の撮影画像を生成する。
【００４０】
シート提供部２６は、所定のシート上に編集後の撮影画像を形成する。具体的には、シート提供部２６は、編集後の撮影画像を所定のシール用紙に印刷し、写真シールを作成する。１つのシール用紙には、１回のゲームで生成された複数の撮影画像が印刷される。また、シール用紙には、写真シール作成装置２で生成されたシールＩＤも印刷される。なお、利用者から指定された分割数に応じて、複数の撮影画像からなる組を１つのシール用紙に複数組印刷してもよい。例えば分割数が２であれば、同じ撮影画像が２つずつシール用紙上に印刷される。分割数は、編集ブース用タッチパネルを介して利用者が入力することができる。シート提供部２６は、作成した写真シールを写真シール作成装置２に設けられたシール紙排出口（図示せず）から排出し、写真シールを利用者に提供する。
【００４１】
シールＩＤは、ゲーム（所定回数の撮影）毎に生成されるユニークなＩＤ（文字列）であり、写真シール作成装置２毎に割り振られたユニークな文字列を用いて生成される。そのため、ある写真シール作成装置２で生成するシールＩＤは、他の写真シール作成装置２が生成するシールＩＤと必ず異なっている。また、ゲーム毎に異なるシールＩＤが生成される。そのため、シールＩＤによって、撮影が行われた写真シール作成装置２と、所定の枚数の撮影画像とを特定することができる。
【００４２】
利用者情報取得部２７は、写真シール提供ブース用タッチパネルを介して、利用者からメールアドレスの入力を受け付ける。取得したメールアドレスは、撮影画像と対応付けられ、利用者を特定するための利用者情報として利用される。利用者情報取得部２７は、複数のメールアドレスの入力を受け付けてもよい。写真シール作成装置２は、１回のゲームにおいて複数の利用者によって共同で利用されることが多い。そのため、ゲームに関わった複数の利用者のメールアドレスを取得してもよい。利用者情報取得部２７は、利用者情報としてメールアドレスに限らず、利用者を特定する他の情報（名前等）の入力を受け付けてもよい。また、利用者情報取得部２７は、近距離無線通信等を行う非接触通信部を介して携帯端末から該携帯端末のメールアドレスを取得する構成であってもよい。
【００４３】
また、利用者情報取得部２７は、取得したメールアドレスに管理サーバ３から電子メールを送信するか否かを示す指示（メール送信要否情報）の入力を、利用者から写真シール提供ブース用タッチパネルを介して受け付ける。
【００４４】
装置通信部２８は、複数の撮影画像と、取得したメールアドレス（利用者情報）と、選択された撮影コースを示す撮影コース情報（撮影モード情報）と、写真シール作成装置２の機種を示す機種情報とを対応付けて管理サーバ３に送信する。例えば、撮影コース情報が「１」であれば第１撮影コースで撮影画像が生成されたことを示し、撮影コース情報が「２」であれば第２撮影コースで撮影画像が生成されたことを示す。また、装置通信部２８は、複数の撮影画像に、さらに、生成されたシールＩＤと、写真シール作成装置２を特定する装置情報と、メール送信要否情報とを対応付けて管理サーバ３に送信する。装置情報は、例えば写真シール作成装置２に割り振られたシリアル番号、および写真シール作成装置２が設置された位置情報等を含む。
【００４５】
また、装置通信部２８は、管理サーバ３から所定の処理が完了した旨の通知を受信する。例えば、装置通信部２８は、管理サーバ３において利用者のメールアドレス宛に電子メールの送信が完了した旨の通知を、管理サーバ３から受け取る。
【００４６】
装置通信部２８が電子メールの送信が完了した旨の通知を受け取ると、情報通知部２９は、電子メールの送信が完了した旨の通知を写真シール提供ブース用タッチパネルに表示させる。さらに、情報通知部２９は、管理サーバ３が管理するウェブページのＵＲＬ（Uniform Resource Locator）を写真シール提供ブース用タッチパネルに表示させる。ＵＲＬの表示として、タッチパネルにＵＲＬの文字列を表示してもよいし、携帯端末で読み取り可能な２次元コード等によって表示してもよい。
【００４７】
（管理サーバの構成）
図３は、管理サーバ３の構成を示すブロック図である。管理サーバ３は、サーバ通信部３０（受信部）、管理部３１、メール送信部３２、サービス提供部３３（提示部）、画像特定部３４、画像選択部３５、および画像登録部３６を備える。
【００４８】
サーバ通信部３０は、写真シール作成装置２から、複数の撮影画像と、メールアドレスと、撮影コース情報と、機種情報と、装置情報と、シールＩＤと、メール送信要否情報とを受信する。
【００４９】
管理部３１は、記憶装置を備え、複数の撮影画像と、受信したメールアドレスと、撮影コース情報と、機種情報と、装置情報と、シールＩＤと、メール送信要否情報とを対応付けて管理する。具体的には管理部３１は、受信したメールアドレスと、複数の撮影画像と、撮影コース情報と、機種情報と、装置情報と、シールＩＤと、メール送信要否情報とを対応付けて記憶装置に記憶させる。管理部３１は、複数の写真シール作成装置２から受信した複数の情報セット（複数の撮影画像と、メールアドレスと、撮影コース情報と、機種情報と、装置情報と、シールＩＤと、メール送信要否情報とを含むセット）を管理（保存）する。
【００５０】
メール送信部３２は、写真シール作成装置２からメール送信指示を受け取っている場合（利用者が電子メールを送信が必要と指示した場合）、対応するメールアドレス宛に、電子メールを送信する。電子メールの内容には、管理サーバ３が管理するウェブページのＵＲＬの紹介（リンク等）が含まれる。
【００５１】
サービス提供部３３は、撮影画像に関連するウェブページを管理し、携帯端末に対してウェブサービスを提供する。サービス提供部３３は、利用者の携帯端末からＨＴＴＰ（Hypertext Transport Protocol）リクエスト（閲覧要求）を受け取ると、該ＨＴＴＰリクエストに含まれるＵＲＬによって指定されるウェブページのデータを携帯端末に返信する。ウェブページのデータには、該ウェブページのテキストのデータおよび該ウェブページに含まれる画像のデータ等が含まれる。これにより、携帯端末は該ウェブページをそのディスプレイに表示することができる。なお、ウェブページに含まれる画像の一部として、管理部３１に保存される複数の撮影画像の一部が使用されうる。サービス提供部３３は、後述する画像特定部３４が特定した撮影画像を管理部３１から取得し、特定された撮影画像をウェブページに含まれる画像として携帯端末に送信することにより、特定された撮影画像を利用者に提示する。
【００５２】
ウェブページＡを指定するＨＴＴＰリクエストは、撮影コースおよび写真シール作成装置２の機種をも指定する。例えばＨＴＴＰリクエストには撮影コースを指定する変数courseの値（数値）、および写真シール作成装置２の機種を指定する変数machineの値（文字列）が含まれる。なお、ＨＴＴＰリクエストに含まれるＵＲＬが、撮影コースを指定する情報および機種を指定する情報を含むものであってもよい。すなわち、ＨＴＴＰリクエストに含まれるＵＲＬが、特定の撮影コースおよび特定の機種に対応するものであり、ＵＲＬ自体によって特定の撮影コースおよび特定の機種に限定されてもよい。この場合は、例えば第１撮影コース用のＵＲＬと第２撮影コース用のＵＲＬとが用意されている。
【００５３】
画像特定部３４は、サービス提供部３３が特定のウェブページＡを指定するＨＴＴＰリクエストを受け取ると、ウェブページＡに含まれる画像として、管理部３１に保存される複数の撮影画像の中から一部の撮影画像を特定する。より詳細には、画像特定部３４は、ＨＴＴＰリクエストが指定する撮影コースに対応する撮影画像を、ウェブページＡに含まれる画像として特定する。なお、画像特定部３４は、管理部３１に保存される複数の画像のうち、ウェブページＡのコンテンツ（多人数がアクセス可能なウェブページＡにおいて表示される画像）として登録されていない撮影画像は除外する。画像特定部３４は、さらに写真シール作成装置２の機種に基づいて撮影画像を特定してもよい。例えば、画像特定部３４は、ＨＴＴＰリクエストが指定する撮影コースに対応し、かつ、ＨＴＴＰリクエストが指定する機種に対応する撮影画像を、ウェブページＡに含まれる画像として特定してもよい。画像特定部３４によって特定されたウェブページＡに含まれる（ウェブページＡで表示される）撮影画像は、ＨＴＴＰリクエストを送信した携帯端末の利用者以外の、複数の利用者の撮影画像を含む。
【００５４】
ウェブページＣを指定するＨＴＴＰリクエストは、撮影コース、利用者のメールアドレス、および写真シール作成装置２の機種をも指定する。例えばＨＴＴＰリクエストにはメールアドレスを指定する変数address（文字列）が含まれる。
【００５５】
また、画像特定部３４は、サービス提供部３３が特定のウェブページＣを指定するＨＴＴＰリクエストを受け取ると、ウェブページＣに含まれる画像として、管理部３１に保存される複数の撮影画像の中から一部の撮影画像を特定する。より詳細には、画像特定部３４は、ＨＴＴＰリクエストが指定する撮影コースに対応し、かつ、ＨＴＴＰリクエストが指定するメールアドレス（利用者情報）に対応する撮影画像を、ウェブページＣに含まれる画像として特定する。画像特定部３４は、さらに写真シール作成装置２の機種に基づいて撮影画像を特定してもよい。画像特定部３４によって特定されたウェブページＣに含まれる（ウェブページＣで表示される）撮影画像は、ＨＴＴＰリクエストを送信した携帯端末の利用者の撮影画像のみを含む。
【００５６】
なお、ウェブページＡは、任意の利用者が閲覧することができるウェブページであり、ウェブページＣは、特定の利用者が該利用者の撮影画像を閲覧することができるウェブページである。そのため、ウェブページＣを閲覧する前に、サービス提供部３３は、アカウント情報（例えばメールアドレスおよびパスワード）を用いた認証を行う。アカウント情報は、事前にメールアドレス等を用いて会員登録することで管理サーバ３から発行される。
【００５７】
画像選択部３５は、ウェブページＣにおいて表示された利用者の複数の撮影画像の中から少なくとも１つの撮影画像の選択を、携帯端末を介して利用者から受け付ける。
【００５８】
画像登録部３６は、利用者によって選択された撮影画像を、ウェブページＡのコンテンツとして登録する。画像登録部３６は、管理部３１に保存される撮影画像に対応付けて、ウェブページＡのコンテンツとして登録されたことを示す情報（登録情報）を管理部３１に記憶させる。また、画像登録部３６は、ウェブページＡのコンテンツとして登録された撮影画像を示すリストを記憶してもよいし、登録された撮影画像自体を記憶してもよい。
【００５９】
図４は、管理部３１に記憶される情報を示す図である。「番号」は、１回のゲームに対応して便宜上付した連番である。「撮影画像」として１回のゲームにおいて撮影された複数（ここでは４つ）の撮影画像のデータが保存される。「メールアドレス」は入力された利用者のメールアドレスを示し、複数入力されることもある。「撮影コース情報」は「１」が第１撮影コースを示し、「２」が第２撮影コースを示す。「機種情報」は写真シール作成装置２の機種またはバージョン等を示す。「装置情報」は設置された写真シール作成装置２毎に割り当てられたユニークな番号である。シールＩＤは、１回のゲーム（写真シール作成）に対してユニークに割り当てられる文字列である。ここでは、シールＩＤは、機種が異なっても重複しないように割り当てられる。「メール送信要否情報」は「要」が利用者へのメール送信を行うことを示し、「否」が利用者へのメール送信を行わないことを示す。「登録情報」は、画像毎に設定されるフラグであり、「１」は対応する撮影画像がウェブページＡのコンテンツとして登録されていることを示し、「０」は対応する撮影画像がウェブページＡのコンテンツとして登録されていないことを示す。１回のゲーム（すなわち複数の撮影画像１〜４）に対して、メールアドレス、撮影コース情報、機種情報、装置情報、シールＩＤ、およびメール送信要否情報は、共通である。ここでは１回のゲームにおける所定の撮影回数を４回としたが、例えば６回であってもよく、その場合は６つの撮影画像が生成される。
【００６０】
（写真シール作成フロー）
図５は、写真シール作成装置２および管理サーバ３における撮影のフローを示す図である。写真シール作成装置２において、利用者によって課金部２１に所定の金額が投入されるとゲーム（写真シール作成フロー）が開始される。
【００６１】
写真シール作成装置２の表示部２０は、撮影ブース用タッチパネルに撮影コースの選択を利用者に促す画像を表示する。ここでは、第１撮影コースと第２撮影コースとが該タッチパネルに表示される。撮影コース選択部２２は、撮影ブース用タッチパネルを介して、撮影コースの選択を受け付ける（Ｓ１）。
【００６２】
利用者によって撮影コースが選択されると、撮影部２３は、選択された撮影コースに対応した照明条件および撮影条件下で、所定の空間にいる利用者の撮影を行う（Ｓ２）。表示部２０は、撮影された画像（編集前の画像）を撮影ブース用タッチパネルに表示し、利用者に確認させる。撮影部２３は、この撮影を所定の回数行う。撮影が完了すると、表示部２０は、利用者を編集ブースに誘導する画像を撮影ブース用タッチパネルに表示する。
【００６３】
表示部２０は、撮影された複数の画像を編集ブース用タッチパネルに表示する。編集部２４は、編集ブース用タッチパネルを介して、撮影された画像に対する編集の入力を利用者から受け付ける（Ｓ３）。具体的には、編集部２４は、目の大きさの選択、肌の明るさの選択、背景（前景）として合成する合成用画像の選択、および落書き入力を受け付ける。合成用画像の選択および落書き入力は、それぞれの画像に対して入力を受け付ける。
【００６４】
利用者による編集入力が完了すると、画像生成部２５は、選択された撮影コースおよび上記の編集入力に応じて、編集された複数の撮影画像を生成する（Ｓ４）。具体的には、撮影された各画像に対して、選択された撮影コースに対応した画像処理を適用し、選択された目の大きさおよび肌の明るさに応じた画像処理を適用し、合成用画像（背景）および落書き（前景）の合成を行うことにより、撮影画像を生成する。また、シート提供部２６は、生成された複数の撮影画像に対応する１つのシールＩＤを生成する。また、利用者による編集入力が完了すると、表示部２０は、利用者を写真シール提供ブースに誘導する画像を編集ブース用タッチパネルに表示する。
【００６５】
表示部２０は、メールアドレスの入力を利用者に促す画像を写真シール提供ブース用タッチパネルに表示する。利用者情報取得部２７は、写真シール提供ブース用タッチパネルを介して、メールアドレスの入力を利用者から受け付ける（Ｓ５）。
【００６６】
利用者によるメールアドレスの入力が完了すると、利用者情報取得部２７は、取得したメールアドレスに案内のための電子メールを送信するか否かを利用者に尋ねる（選択させる）画像を写真シール提供ブース用タッチパネルに表示する。利用者情報取得部２７は、写真シール提供ブース用タッチパネルを介して、メール送信要否の入力を受け付ける（Ｓ６）。
【００６７】
利用者によるメール送信要否の入力が完了すると、装置通信部２８は、生成した複数の撮影画像と、撮影画像に関する付属情報とを対応付けて管理サーバ３に送信する（Ｓ７）。付属情報は、メールアドレスと、撮影コース情報と、機種情報と、装置情報と、シールＩＤと、メール送信要否情報とを含む。
【００６８】
管理サーバ３のサーバ通信部３０は、複数の撮影画像と付属情報とを受信する（Ｓ８）。管理部３１は、複数の撮影画像と付属情報とを対応付けて管理（保存）する（Ｓ９）。
【００６９】
写真シール作成装置２において、利用者から入力されたメール送信要否情報が「要」だった場合（Ｓ１０でＹｅｓ）、管理サーバ３のメール送信部３２は、利用者のメールアドレスにウェブページを案内するための電子メールを送信する（Ｓ１１）。この電子メールには、例えばウェブページＡおよびウェブページＢのＵＲＬ（またはリンク）が記載されている。このＵＲＬ（リンク）には、例えばＧＥＴメソッドまたはＰＯＳＴメソッド等により、撮影コースを指定する情報（引数）を含めてもよい。この引数は、利用者が写真シール作成装置２で選択した撮影コースを指定する。なお、ウェブページＢは、写真シール作成装置２で生成された撮影画像をウェブページＡのコンテンツとして投稿するためのページである。
【００７０】
電子メールを送信すると、サーバ通信部３０は、電子メールの送信が完了した旨を写真シール作成装置２に通知する（Ｓ１２）。
【００７１】
管理サーバ３から電子メールの送信が完了した旨の通知を受信すると、写真シール作成装置２の表示部２０は、電子メールの送信が完了した旨を示す画像を写真シール提供ブース用タッチパネルに表示する（Ｓ１３）。
【００７２】
利用者から入力されたメール送信要否情報が「否」だった場合（Ｓ１０でＮｏ）、または、Ｓ１３の後、写真シール作成装置２のシート提供部２６は、複数の撮影画像が印刷された写真シールをシール紙排出口から排出し、写真シールを利用者に提供する（Ｓ１４）。写真シールの印刷は、各処理のバックグラウンドで行うことができる。
【００７３】
その後、表示部２０は、写真シール提供ブース用タッチパネルにウェブページＡを表示させる。写真シール作成装置２の装置通信部２８は、ウェブページＡのデータを、定期的にまたは随時管理サーバ３からダウンロードする。後述するウェブページＡには、登録された複数の利用者の撮影画像が表示される。写真シール作成装置２を利用した利用者が後述の撮影画像の登録処理を行うと、写真シール作成装置２で表示されるウェブページＡにも該利用者の撮影画像が表示され得る。そのため、利用者の満足度を向上させることができる。以上が写真シール作成フローである。
【００７４】
（ウェブページの閲覧フロー）
図６は、携帯端末からのＨＴＴＰリクエストに対する管理サーバ３における処理フローを示す図である。図７は、携帯端末のディスプレイに表示されるウェブページＡの例を示す図である。ウェブページＡは、撮影画像を投稿することにより抽選に応募するためのページである。
【００７５】
利用者は、携帯端末で受信した管理サーバ３からの電子メールに含まれるＵＲＬ（またはリンク）を用いて、ウェブページＡへアクセスする。このとき携帯端末は、ウェブページＡを管理する管理サーバ３に対して、上記ＵＲＬを指定するＨＴＴＰリクエスト（閲覧要求）を送信する。このＨＴＴＰリクエストは、さらに引数によって撮影コースを指定する。例えば引数courseの値が「１」であれば第１撮影コースが指定され、引数courseの値が「２」であれば第２撮影コースが指定される。例えば、利用者が写真シール作成装置２で選択した撮影コースがＨＴＴＰリクエストによって指定される。なお、ＵＲＬは利用者によって手動で入力されてもよいし、インターネット上の別のウェブサイトにあるリンクを選択することでウェブページＡまたはＢにアクセスしてもよい。
【００７６】
管理サーバ３のサービス提供部３３は、携帯端末からウェブページＡを指定するＨＴＴＰリクエストを受信する（Ｓ２１）。画像特定部３４は、ＨＴＴＰリクエストに含まれる撮影コースを指定する引数に応じて、指定された撮影コースに対応する複数の撮影画像を抽出する（Ｓ２２）。具体的には、画像特定部３４は、管理部３１に保存されている複数の利用者の撮影画像のうち、ウェブページＡのコンテンツとして登録されている撮影画像であり、かつ、ＨＴＴＰリクエストによって指定された撮影コースに対応する撮影画像を、表示用画像として特定する。サービス提供部３３は、ウェブページＡのテキストデータとともに、ウェブページＡにおける表示用画像として特定された複数の撮影画像を携帯端末に送信する（Ｓ２３）。携帯端末は、特定された撮影画像を含むウェブページＡをディスプレイに表示させる。
【００７７】
ウェブページＡの撮影画像表示領域ａ１には、指定した撮影コースに対応する複数の撮影画像Ｐ１〜Ｐ４が利用者のニックネームおよびコメントと共に表示される。なお、撮影画像の表示順は任意とすることができ、例えば新着順に表示される。ここでは表示される撮影画像は、写真シール作成装置２から管理サーバ３に転送された撮影画像のサムネイルである。ウェブページＡ上でサムネイル画像を選択すると、より大きいサイズの撮影画像が表示される。画像サイズは携帯端末のディスプレイの大きさによって適宜変更される。ウェブページＡには、任意の利用者の登録済み撮影画像が表示される。すなわち、ウェブページＡの撮影画像表示領域ａ１には、アクセスした利用者以外の利用者の登録済み撮影画像も表示される。利用者は、他の利用者の撮影画像を見比べることで、指定した撮影コースではどのように写るのか（どのような撮影画像が得られるのか）を知ることができる。
【００７８】
また、ウェブページＡには「第１撮影コース」を指定するタブ（リンク）ａ２および「第２撮影コース」を指定するタブａ３が設けられている。ここで利用者は、タブａ２・ａ３を選択することによって閲覧したい撮影コースを指定することができる。利用者が、ウェブページＡにおいて撮影コースを指定するタブａ２・ａ３を選択すると、携帯端末は、選択された撮影コースを指定する引数を含みウェブページＡを指定するＨＴＴＰリクエストを管理サーバ３に送信する。管理サーバ３は、上述したように、管理部３１において各撮影画像に対応付けられている情報に基づいて、指定された撮影コースの撮影画像を特定し、特定した複数の撮影画像をウェブページＡの画像データとして携帯端末に送信する。そして、ウェブページＡの撮影画像表示領域ａ１には、指定された撮影コースに対応する複数の撮影画像が表示される。このように、管理サーバ３は、撮影モード毎に、対応する撮影画像を携帯端末を介して利用者に提示する。利用者は閲覧したい撮影コースを指定することで、該撮影コースの撮影画像のみを閲覧することができる。なお、タブの他にラジオボタン等によって撮影コースを指定してもよい。また、撮影コースに対応するチェックボックスを設け、それぞれの撮影コースの撮影画像の表示／非表示を切り替えてもよい。また、写真シール作成装置２の機種と撮影コースとに対応するボタン等を設け、機種と撮影コースとに対応した撮影画像のみを表示させるようにしてもよい。
【００７９】
写真シール作成装置２において生成された撮影画像は、機種および撮影コースに応じて画像処理および照明条件等が大きく異なるため、機種および撮影コースに応じて写り具合が大きく異なる。そのため、従来のように撮影コースに関係なく複数の撮影画像が表示されると、それらを見比べた利用者は違和感を感じることがあった。本実施形態の管理サーバ３は、撮影コースが同じである撮影画像のみを表示させるため、利用者は同様の写り具合である（同じ条件下で撮影された）撮影画像を見比べることができる。そのため、利用者の利便性を高めることができる。
【００８０】
（投稿処理フロー）
また、ウェブページＡにはウェブページＢへのリンクａ４が設けられている。利用者は、ウェブページＡにおいてウェブページＢへのリンクａ４を選択することにより、ウェブページＢを閲覧することができる。携帯端末からのＨＴＴＰリクエストに応じて、管理サーバ３は、ウェブページＢのデータを携帯端末に返信する。
【００８１】
図８は、携帯端末のディスプレイに表示されるウェブページＢの例を示す図である。図９は、撮影画像を投稿する処理のフローを示す図である。
【００８２】
ウェブページＢは、写真シール作成装置２で生成された撮影画像をウェブページＡのコンテンツとして投稿するためのページである。写真シール作成装置２で生成された撮影画像が管理サーバ３に送信された段階では、いずれの利用者もウェブページＡ上において該撮影画像を閲覧することはできない。なお後述するように、撮影した利用者はウェブページＣにおいて自身の撮影画像を閲覧することができる。一方、撮影画像がその利用者によってウェブページＡのコンテンツとして登録されると、ウェブページＡにおいて撮影した利用者のみならず他の利用者も該撮影画像を閲覧することができる。
【００８３】
ウェブページＢには、投稿画像表示領域ｂ１、撮影コース選択ボタンｂ２・ｂ３、入力テキストボックスｂ４、および投稿ボタンｂ５が設けられている。投稿画像表示領域ｂ１には、投稿するための撮影画像がプレビュー表示される。投稿するための撮影画像が選択されていない段階では、投稿画像表示領域ｂ１には空白が表示される。入力テキストボックスｂ４は、撮影画像と共に投稿される利用者のニックネームおよびコメント等を入力する領域である。撮影コース選択ボタンｂ２・ｂ３は、投稿する撮影画像を選択するためのボタン（リンク）である。撮影コース選択ボタンｂ２は、第１撮影コースを指定するボタンであり、撮影コース選択ボタンｂ３は、第２撮影コースを指定するボタンである。
【００８４】
利用者によって撮影コース選択ボタンｂ２・ｂ３が選択されると、選択したボタンに対応する撮影コースおよびウェブページＣを指定するＨＴＴＰリクエストが、携帯端末から管理サーバ３に送信される。管理サーバ３のサービス提供部３３は、ＨＴＴＰリクエストを受け取る（Ｓ３１）。
【００８５】
ＨＴＴＰリクエストを受け取ったサービス提供部３３は、まずは利用者を特定するための認証画面を携帯端末に表示させる（Ｓ３２）。利用者は、あらかじめ会員登録を行っておく。例えば会員登録では、登録されたメールアドレスに対してパスワードを発行する。その認証情報（メールアドレスおよびパスワード）を用いて認証することにより、利用者を特定することができる。利用者は携帯端末に認証情報を入力する。携帯端末は認証情報を含むＨＴＴＰリクエストを管理サーバ３に送信する。管理サーバ３のサービス提供部３３は、携帯端末から認証情報を受け取り、認証情報が正しいかチェックを行う。なお、正規の認証情報は管理サーバ３に記憶されている。なお、会員登録において、携帯端末に固有の個体識別番号（ＵＩＤ：ユーザＩＤ）を取得し、ＵＩＤを用いて利用者の認証を行ってもよい。
【００８６】
認証情報が正しくない場合（Ｓ３３でＮｏ）、サービス提供部３３は、携帯端末にウェブページＢまたは再度認証画面を表示させる（Ｓ３２）。
【００８７】
認証情報が正しい場合（Ｓ３３でＹｅｓ）、画像特定部３４は、携帯端末から受け取ったＨＴＴＰリクエストで指定されたメールアドレス（利用者情報）に対応し、かつ、ＨＴＴＰリクエストで指定された撮影コースに対応する撮影画像を、管理部３１に保存されている複数の撮影画像の中から特定する（Ｓ３４）。すなわち、画像特定部３４は、管理部３１に保存されているその利用者の撮影画像の中から、撮影コース選択ボタンｂ２・ｂ３によって指定された撮影コースに対応する撮影画像を抽出する。
【００８８】
メールアドレスおよび撮影コースに対応する撮影画像が管理部３１にない場合（Ｓ３５でＮｏ）、サービス提供部３３は、写真シール作成装置２で撮影することを促すメッセージ（ウェブページ）を携帯端末に表示させる（Ｓ３６）。
【００８９】
メールアドレスおよび撮影コースに対応する撮影画像が管理部３１に１つ以上ある場合（Ｓ３５でＹｅｓ）、サービス提供部３３は、ウェブページＣのテキストデータとともに、特定された複数の撮影画像を携帯端末に送信する（Ｓ３７）。携帯端末は、特定された複数の撮影画像を含むウェブページＣをディスプレイに表示させる。このようにして、選択された撮影コースに応じたウェブページＣが表示される。
【００９０】
図１０は、携帯端末のディスプレイに表示されるウェブページＣの例を示す図である。ウェブページＣには、認証された利用者が過去に写真シール作成装置２で撮影した撮影画像のうち、ウェブページＢで選択した撮影コースによって撮影したものだけが表示される。
【００９１】
利用者は、ウェブページＣに表示された複数の撮影画像Ｐ１１〜Ｐ１６から、投稿に使用する撮影画像を１つ以上選択する。選択する撮影画像に対応するチェックボックスをＯＮにし、決定ボタンｃ１が選択されると、携帯端末から選択された撮影画像を指定するＨＴＴＰリクエストが管理サーバ３に送信される。管理サーバ３の画像選択部３５は、投稿する撮影画像を指定するＨＴＴＰリクエストを携帯端末から受信する（Ｓ３８）。
【００９２】
投稿する撮影画像を指定するＨＴＴＰリクエストを携帯端末から受信すると、サービス提供部３３は、ウェブページＢに表示する画像として、選択された撮影画像のデータを携帯端末に送信する（Ｓ３９）。ウェブページＢの投稿画像表示領域ｂ１に選択された撮影画像が表示される。
【００９３】
利用者がニックネームおよびコメントを入力し、投稿ボタンｂ５を選択すると、携帯端末から選択された撮影画像の投稿を指示するＨＴＴＰリクエストが管理サーバ３に送信される。管理サーバ３の画像登録部３６は、投稿を指示するＨＴＴＰリクエストを携帯端末から受信する（Ｓ４０）。
【００９４】
画像登録部３６は、利用者によって指示された撮影画像を、ウェブページＡのコンテンツとして管理部３１に登録する（Ｓ４１）。また、サービス提供部３３は、携帯端末にウェブページＡを表示させる。ウェブページＡでは、このようにして登録された複数の利用者の撮影画像が表示される。
【００９５】
管理サーバ３は、ウェブページＡに撮影画像を登録した利用者を抽出し、その中から抽選の当選者を決定する。例えば、管理サーバ３は、利用者によって撮影画像が登録されると、乱数を用いて所定の確率で該利用者が当選したと決定する。ここでは、ウェブページＡに撮影画像を投稿することは、抽選に応募することである。そのため、画像登録部３６は、同じ撮影画像による２回以上の投稿は許可しない。また、管理サーバ３の管理者が、抽出された利用者の中から、抽選の当選者を決定することもできる。管理サーバ３または管理者は、管理部３１に保存されている利用者（当選者）のメールアドレス宛に当選を通知する電子メールを送信し、景品発送の打合せ（送品先住所の確認）を行うことができる。
【００９６】
ウェブページＣでは、過去に撮影された利用者の撮影画像のうち、撮影コースが同じである撮影画像のみが表示されるため、利用者は同様の写り具合である（同じ条件下で撮影された）撮影画像を見比べることができる。そして、利用者は、同様の写り具合である複数の撮影画像を見比べて、投稿に使用する撮影画像を選択することができる。そのため、利用者はよりよいと思う撮影画像を選択しやすくなる。よって、本実施形態の画像管理システム１は、利用者の利便性を高めることができる。
【００９７】
［実施形態２］
なお、以上では撮影画像が管理サーバの管理するウェブページに投稿される形態について説明したが、これに限らない。本実施形態では、画像登録部３６は、投稿用に指定された撮影画像を他のサイトのウェブページに投稿する。例えば、ＳＮＳ（ソーシャル・ネットワーキング・サービス）における利用者のページにコンテンツ（日記等の画像）として撮影画像を投稿する。なお、説明の便宜上、実施形態１にて説明した図面と同じ機能を有する部材・構成については、同じ符号を付記し、その詳細な説明を省略する。
【００９８】
本実施形態では、ウェブページＣにおいて投稿する撮影画像を選択した後、利用者がウェブページＢの投稿ボタンｂ５を選択すると、ウェブページＡへの投稿（登録）に加えて、所定のＳＮＳの該利用者のウェブページへの画像投稿処理が開始される。
【００９９】
図１１は、ＳＮＳへの画像投稿処理を示す携帯端末における画面遷移図である。利用者によってウェブページＢの投稿ボタンｂ５が選択されると、画像登録部３６は、ＯＡｕｔｈ（オーオース）によって所定のＳＮＳと連携して、ＳＮＳのログインページＤを携帯端末に表示させる。
【０１００】
利用者は、ログインページＤにおいて利用者が有するＳＮＳのアカウントおよびパスワードを入力し、ログインボタンｄ１を選択する。ＳＮＳアカウントの認証が成功すると、画像登録部３６は、投稿ページＥを携帯端末に表示させる。
【０１０１】
投稿ページＥには、例えばコメント入力のためのテキストボックスｅ１および投稿ボタンｅ２が設けられている。投稿するコメントとして、例えばウェブページＡのＵＲＬおよび所定のハッシュタグがあらかじめ設定されていてもよい。これにより、ウェブページＡで行われる抽選への参加者が増加することが見込まれる。投稿ボタンｅ２が選択されると、画像登録部３６は、コメントと共に、ウェブページＣで選択された撮影画像を、利用者のＳＮＳのウェブページに投稿する。
【０１０２】
投稿が完了すると、画像登録部３６は、完了ページＦを携帯端末に表示させる。完了ページＦには、投稿済みの撮影画像ｆ１が表示される。完了ページＦには、またフォローボタンｆ２が設けられている。利用者がフォローボタンｆ２を選択すると、利用者が有するＳＮＳアカウントから、管理サーバ３の管理者が有するＳＮＳアカウントをフォローする。その後、携帯端末にウェブページＡが表示される。管理サーバ３の管理者が有するＳＮＳアカウントを利用者にフォローしてもらうことにより、ＳＮＳアカウント間のダイレクトメールを用いて景品発送の打合せ（送品先住所の確認）を行うことができる。
【０１０３】
［ソフトウェアによる実現例］
写真シール作成装置２および管理サーバ３の制御ブロック（特に撮影コース選択部２２、編集部２４、画像生成部２５、利用者情報取得部２７、サーバ通信部３０、管理部３１、メール送信部３２、サービス提供部３３、画像特定部３４、画像選択部３５、および画像登録部３６）は、集積回路（ＩＣチップ）等に形成された論理回路（ハードウェア）によって実現してもよいし、ＣＰＵ（Central Processing Unit）を用いてソフトウェアによって実現してもよい。
【０１０４】
後者の場合、写真シール作成装置２および管理サーバ３は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１０５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１０６】
本発明は、写真シール作成装置と連携する管理サーバ、およびそれらを含む画像管理システムに利用することができる。
【符号の説明】
【０１０７】
１    画像管理システム
２    写真シール作成装置（画像撮影装置）
３    管理サーバ
２０    表示部
２１    課金部
２２    撮影コース選択部（撮影モード選択部）
２３    撮影部
２４    編集部
２５    画像生成部
２６    シート提供部
２７    利用者情報取得部
２８    装置通信部（画像送信部）
２９    情報通知部
３０    サーバ通信部（受信部）
３１    管理部
３２    メール送信部
３３    サービス提供部（提示部）
３４    画像特定部
３５    画像選択部
３６    画像登録部
【図１】
2014168196.tif 000003
【図２】
2014168196.tif 000004
【図３】
2014168196.tif 000005
【図４】
2014168196.tif 000006
【図５】
2014168196.tif 000007
【図６】
2014168196.tif 000008
【図７】
2014168196.tif 000009
【図８】
2014168196.tif 000010
【図９】
2014168196.tif 000011
【図１０】
2014168196.tif 000012
【図１１】
2014168196.tif 000013